(57)【要約】チルト機構２は、ステアリングコラム１を車体前方の揺動中心回りに揺動可能に支持する可動コラム部材１０と、これを保持する可動ブラケット２０を具備し、跳上機構３は、車体に固定される固定ブラケット３０と、可動ブラケットに対し一端を回動可能に支持すると共に、他端を固定ブラケットに対し係脱可能に配置するリンク部材４０を具備する。跳上付勢手段（ばね部材５０）により、固定ブラケットに対し可動ブラケットを跳ね上げ方向に付勢する。跳上操作レバー４４によって、リンク部材を固定ブラケットに係合させて可動ブラケットを初期位置又は跳上位置保持する保持状態と、その係合を解く解除状態に選択的に操作する。
2012053384.tif 000002
【特許請求の範囲】
【請求項１】
車両のステアリングホイールを支持するステアリングコラムと、
該ステアリングコラムを車体の前方に配置した揺動中心回りに揺動可能に支持する可動コラム部材と、対向する一対の保持部間に前記可動コラム部材を保持する可動ブラケットを具備し、前記ステアリングホイールの操作位置を調整し得るチルト機構と、
前記車体に固定される固定ブラケットと、前記可動ブラケットに対し一端を回動可能に支持すると共に、他端を前記固定ブラケットに対し前記車体の後方側で係脱可能に配置するリンク部材を具備し、前記ステアリングホイールを所定の跳ね上げ位置に保持し得る跳上機構と、
前記固定ブラケットに対し前記可動ブラケットを跳ね上げ方向に付勢する跳上付勢手段と、
前記リンク部材を前記固定ブラケットに係合させて前記可動ブラケットを初期位置又は跳上位置に保持する保持状態と、前記リンク部材の前記固定ブラケットとの係合を解く解除状態に選択的に設定し得る操作レバーと
を備えた車両のステアリング装置。
【請求項２】
前記可動ブラケットが前記初期位置で保持されている状態での前記可動ブラケットに対する前記リンク部材の一端の支持位置及び前記固定ブラケットに対する前記リンク部材の他端の支持位置が、夫々、前記揺動中心回りの単一の円弧上に位置するように配置する請求項１記載の車両のステアリング装置。
【請求項３】
前記跳上付勢手段が、前記固定ブラケットと前記可動ブラケットとの間に装着するばね部材である請求項１又は２記載の車両のステアリング装置。
【請求項４】
前記固定ブラケットが、前記円弧に対し前記車体の後方側に開口する複数の溝を有すると共に、前記リンク部材が、前記複数の溝の各々に対し係合可能な係合部を有する請求項１乃至３の何れか一項に記載の車両のステアリング装置。
【請求項５】
前記可動ブラケットと前記リンク部材との間に装着し、前記リンク部材を前記固定ブラケットとの係合方向に付勢する係合付勢手段を備えた請求項１乃至４の何れか一項に記載の車両のステアリング装置。
【請求項６】
前記係合付勢手段が、前記リンク部材と前記可動ブラケットとの間に装着するばね部材である請求項５記載の車両のステアリング装置。
【請求項７】
前記ステアリングコラムの軸方向に対して直交する横方向への前記可動ブラケットの移動を規制する横方向付勢手段を備えた請求項１乃至６の何れか一項に記載の車両のステアリング装置。
【請求項８】
前記横方向付勢手段が、前記固定ブラケットと前記可動ブラケットとの間に装着し、前記可動ブラケットを前記横方向に付勢するばね部材である請求項７記載の車両のステアリング装置。
【請求項９】
前記可動コラム部材を前記ステアリングコラムの軸方向に伸縮して前記ステアリングホイールの操作位置を調整し得るテレスコピック機構を備えた請求項１乃至８の何れか一項に記載の車両のステアリング装置。
【発明の詳細な説明】
【技術分野】
【０００１】
本発明は、車両のステアリング装置に関し、特に、チルト機構及び跳上機構を備えた車両のステアリング装置に係る。
【背景技術】
【０００２】
近時の車両においては、ステアリングホイールの操作位置を調整し得るチルト機構と、ステアリングホイールを所定の跳ね上げ位置に保持し得る跳上機構を備えたステアリング装置が知られている。例えば下記の特許文献１には、その段落〔０００２〕に記載の「運転者の体格や運転姿勢等に応じてステアリングホイールの高さを変えられるようにしたチルトステアリング装置において、ステアリングホイールが乗降の妨げとならないように、レバーの操作によりステアリングホイールを最上位置まで跳ね上げて（チルトアップして）、乗降を容易にするための装置」に関し、メモリ機構付きチルトステアリング装置が提案され、その段落〔００１３〕には「操作レバーの回動に伴う、チルトロック及びメモリロックが達成される状態と、チルトロックのみが達成される状態と、両ロックが解除される状態とにおいて、それぞれ保持力を働かせる」態様が開示されている。また、下記の特許文献２には、その段落〔０００１〕に記載の「跳ね上げ機構とチルト機構とを個別に設けた」ステアリングコラム装置に関し、モータ駆動の跳ね上げ機構を備えた装置が開示されている。
【先行技術文献】
【特許文献】
【０００３】
【特許文献１】特開２００１−１９１４号公報
【特許文献２】特開２００９−２９３２５号公報
【発明の概要】
【発明が解決しようとする課題】
【０００４】
上記特許文献１に開示されたチルトステアリング装置においては、操作レバーの操作量に応じて跳ね上げ量とチルト量を調整することができるが、チルト調整位置によって跳ね上げ量が変化することになり、例えば、最大のチルト調整位置に設定されている場合には、跳ね上げ量が小さくなる。これに対し、上記特許文献２に開示されたステアリングコラム装置によれば、跳ね上げ機構とチルト機構とが独立しているので、上記のように相互に影響することを回避できるが、チルト機構は兎も角、跳ね上げ機構もモータ駆動とされているので、複雑な機構が要求され、高価な装置となる。【０００５】
そこで、本発明は、チルト機構及び跳上機構を備えた車両のステアリング装置において、チルト機構と跳上機構を独立して操作し得ると共に、少なくとも跳上機構を運転者の手動操作によって容易に行い得る安価なステアリング装置を提供することを課題とする。
【課題を解決するための手段】
【０００６】
上記の課題を達成するため、本発明は、車体に対しステアリングコラムを揺動可能に支持し、ステアリングホイールの操作位置を調整し得るチルト機構と、前記ステアリングホイールを所定の跳ね上げ位置に保持し得る跳上機構を備えた車両のステアリング装置において、前記チルト機構が、前記車体の前方に配置した揺動中心回りに前記ステアリングコラムを揺動可能に支持する可動コラム部材と、対向する一対の保持部間に前記可動コラム部材を保持する可動ブラケットを具備して成り、前記跳上機構が、前記車体に固定される固定ブラケットと、前記可動ブラケットに対し一端を回動可能に支持すると共に、他端を前記固定ブラケットに対し前記車体の後方側で係脱可能に配置するリンク部材を具備して成り、前記固定ブラケットに対し前記可動ブラケットを跳ね上げ方向に付勢する跳上付勢手段と、前記リンク部材を前記固定ブラケットに係合させて前記可動ブラケットを初期位置又は跳上位置に保持する保持状態と、前記リンク部材の前記固定ブラケットとの係合を解く解除状態に選択的に操作し得る操作レバーを備えることとしたものである。【０００７】
上記ステアリング装置において、特に、前記可動ブラケットが前記初期位置で保持されている状態での前記可動ブラケットに対する前記リンク部材の一端の支持位置及び前記固定ブラケットに対する前記リンク部材の他端の支持位置が、夫々、前記揺動中心回りの単一の円弧上に位置するように配置するとよい。前記跳上付勢手段は、前記固定ブラケットと前記可動ブラケットとの間に装着するばね部材で構成することができる。【０００８】
また、上記ステアリング装置において、前記固定ブラケットは、前記円弧に対し前記車体の後方側に開口する複数の溝を有するものとすると共に、前記リンク部材は、前記複数の溝の各々に対し係合可能な係合部を有するものとするとよい。【０００９】
更に、上記ステアリング装置において、前記可動ブラケットと前記リンク部材との間に装着し、前記リンク部材を前記固定ブラケットとの係合方向に付勢する係合付勢手段を備えたものとするとよい。前記係合付勢手段は、前記リンク部材と前記可動ブラケットとの間に装着するばね部材で構成することができる。【００１０】
そして、上記ステアリング装置において、前記ステアリングコラムの軸方向に対して直交する横方向への前記可動ブラケットの移動を規制する横方向付勢手段を備えたものとするとよい。前記横方向付勢手段は、前記固定ブラケットと前記可動ブラケットとの間に装着し、前記可動ブラケットを前記横方向に付勢するばね部材で構成することができる。【００１１】
更に、上記ステアリング装置に対し、前記可動ブラケットを前記ステアリングコラムの軸方向に伸縮して前記ステアリングホイールの操作位置を調整し得るテレスコピック機構を備えたものとすることができる。
【発明の効果】
【００１２】
本発明は上述のように構成されているので以下の効果を奏する。即ち、本発明のステアリング装置においては、チルト機構が、車体の前方に配置した揺動中心回りにステアリングコラムを揺動可能に支持する可動コラム部材と、対向する一対の保持部間に可動コラム部材を保持する可動ブラケットを具備すると共に、跳上機構が、車体に固定される固定ブラケットと、可動ブラケットに対し一端を回動可能に支持すると共に、他端を固定ブラケットに対し車体の後方側で係脱可能に配置するリンク部材を具備しており、跳上付勢手段により、固定ブラケットに対し可動ブラケットを跳ね上げ方向に付勢することとし、操作レバーによって、リンク部材を固定ブラケットに係合させて可動ブラケットを初期位置又は跳上位置に保持する保持状態と、リンク部材の固定ブラケットとの係合を解く解除状態に選択的に操作し得るように構成されているので、チルト機構と跳上機構を独立して操作し得ると共に、運転者が操作レバーを手動で操作することによって、跳上機構を容易且つ確実に操作し、初期位置又は跳上位置に保持しあるいは解除状態とすることができる。【００１３】
特に、可動ブラケットが初期位置で保持されている状態での可動ブラケットに対するリンク部材の一端の支持位置及び固定ブラケットに対するリンク部材の他端の支持位置が、夫々、揺動中心回りの単一の円弧上に位置するように配置することとすれば、別途ロック機構を必要とすることなく、安価で高剛性の跳上機構を備えたステアリング装置を提供することができる。【００１４】
そして、複数の溝を有する固定ブラケットと、複数の溝の各々に対し係合可能な係合部を有するリンク部材を備えたものとすれば、組み付け容易で安価な跳上機構を構成することができる。更に、可動ブラケットとリンク部材との間に係合付勢手段を装着し、リンク部材を固定ブラケットとの係合方向に付勢するように構成すれば、容易に跳上機構を初期位置又は跳上位置の保持状態に移行することができる。【００１５】
上記に加え、前述の横方向付勢手段を備えたものとすれば、可動ブラケットの横方向移動を確実に抑えることができ、安定した状態で跳上操作を行うことができる。更に、テレスコピック機構を備えたものとすれば、チルト機構及びテレスコピック機構の両者を備えたステアリングコラムに対しても、運転者の手動操作によって跳上機構を容易且つ確実に操作することができる。
【図面の簡単な説明】
【００１６】
【図１】本発明の一実施形態に係るステアリング装置の側面図である。
【図２】本発明の一実施形態に係るステアリング装置の跳ね上げ状態を示す側面図である。
【図３】本発明の一実施形態において跳ね上げ操作時のリンク部材と固定ブラケットの関係を示す側面図である。
【図４】本発明の一実施形態に係るステアリング装置の分解斜視図である。
【発明を実施するための形態】
【００１７】
以下、本発明の望ましい実施形態を図面を参照して説明する。図１乃至図４は本発明の一実施形態に係るステアリング装置を示すもので、車体（図示せず）に対しステアリングコラム１が揺動可能に支持されており、ステアリングホイール（図示せず）の操作位置を調整し得るチルト機構２と、ステアリングホイールを所定の跳ね上げ位置に保持し得る跳上機構３が配設されている。本実施形態では、ステアリングホイールはアッパシャフト１１の後端に支持され、これを囲繞するように同軸上にアッパチューブ１２が配置され、これらアッパシャフト１１及びアッパチューブ１２は、一体となって軸方向移動し得るように構成されている。一方、転舵機構（図示せず）に接続されるロアシャフト１３を囲繞するように同軸上にロアチューブ１４が配置され、このロアチューブ１４内をアッパチューブ１２が軸方向に摺動自在に収容されており、テレスコピック機構が構成されている。尚、図１及び図２ではロアチューブ１４及びアッパチューブ１２をまとめて可動コラム部材１０として表している。
【００１８】
上記のチルト機構２は、車体の前方に配置した揺動中心（Ｃ）回りにステアリングコラム１を揺動可能に支持する可動コラム部材１０と、対向する一対の保持部２１，２２（図４に示す）間に可動コラム部材１０を保持する可動ブラケット２０を具備している。
【００１９】
また、跳上機構３は、車体に固定される固定ブラケット３０と、可動ブラケット２０に対し一端を回動可能に支持すると共に、他端を固定ブラケット３０に対し車体の後方側で係脱可能に配置するリンク部材４０を具備している。そして、固定ブラケット３０に対し可動ブラケット２０を跳ね上げ方向に付勢する跳上付勢手段として、一対の引張コイルばね５１及び５２（図４に示す）から成るばね部材５０が張架されている。更に、リンク部材４０を固定ブラケット３０に係合させて初期位置（図１のＰ１）又は跳上位置（図２のＰ２）に保持する保持状態と、リンク部材４０の固定ブラケット３０との係合を解く解除状態に選択的に操作し得る跳上操作レバー４４が設けられている。
【００２０】
固定ブラケット３０は一対の保持部３１，３２（図４に示す）を有し、夫々に、可動ブラケット２０の揺動中心（Ｃ）回りの揺動軌跡を構成する単一の円弧（図１に示す円弧Ｔ）に対し車体の後方側に開口する複数の溝Ｇ１，Ｇ２が形成されている。また、リンク部材４０は一対のリンク４１，４２を有し、両者がリンク４３を介して接合されており、リンク４１，４２には、夫々、ボルトＢが螺着され、各ボルトＢの先端部が夫々スペーサＳを介して可動ブラケット２０の保持部２１，２２に回動可能に支持されている。尚、ボルトＢに代えてピン（図示せず）を用いてリンク４１，４２に圧入することとしてもよい。リンク４３は複数の溝Ｇ１，Ｇ２の各々に対し係合可能であり、リンク部材４０における固定ブラケット３０との係合部を構成している。また、リンク４３の中央部には跳上操作レバー４４が固着されており、この跳上操作レバー４４の操作に応じて、リンク部材４０がその一端の支持位置（図１のＰ０）を中心に、可動ブラケット２０に対して揺動するように構成されている。更に、可動ブラケット２０とリンク部材４０との間には、係合付勢手段として引張コイルばね４５が張架されており、このばね部材によってリンク部材４０（リンク４３）が固定ブラケット３０（溝Ｇ１，Ｇ２）との係合方向に付勢されている。
【００２１】
そして、可動ブラケット２０が初期位置（図１の状態）で保持されている状態において、可動ブラケット２０に対するリンク部材４０の一端の支持位置（図１のＰ０）及び固定ブラケット３０に対するリンク部材４０の他端の支持位置（図１のＰ１）が、夫々、可動ブラケット２０の揺動中心（Ｃ）回りの揺動軌跡を構成する単一の円弧（図１の円弧Ｔ）上に位置するように配置されている。更に、可動ブラケット２０が跳上位置（図２の状態）で保持されている状態においても、可動ブラケット２０に対するリンク部材４０の一端の支持位置（図１のＰ０）及び固定ブラケット３０に対するリンク部材４０の他端の支持位置（図２のＰ２）が、可動ブラケット２０の揺動中心（Ｃ）回りの揺動軌跡を構成する単一の円弧（図１の円弧Ｔ）上に位置するように配置してもよい。
【００２２】
更に、ステアリングコラム１の軸方向に対して直交する横方向への可動ブラケット２０の移動を規制する横方向付勢手段として、可動ブラケット２０と固定ブラケット３０との間に板ばね６０が設けられ、可動ブラケット２０を横方向に付勢し、固定ブラケット３０との横方向のガタを防止するばね部材として機能している。尚、横方向付勢手段としてはゴムなどの弾性部材を用いることとしてもよい。
【００２３】
上記の構成になるステアリング装置において、跳上機構３による跳ね上げ操作を説明すると、図３の（Ａ）は跳ね上げ操作前の状態を示している。このとき、リンク部材４０のリンク４３は固定ブラケット３０の溝Ｇ１に係合した初期位置（図１のＰ１）に保持されている。この保持状態から跳上操作レバー４４が車体後方（白抜矢印方向）に引かれると、図３の（Ｂ）に示すように、リンク４３が溝Ｇ１から離脱し、リンク部材４０は固定ブラケット３０との係合が解除される。すると、引張コイルばね５１及び５２（図４）の付勢力によってリンク部材４０（ひいては可動ブラケット２０及び可動コラム部材１０）が跳ね上げ方向（白抜矢印方向）に移動し、図２に示すように、ステアリングコラム１は揺動中心（Ｃ）回りに揺動して、水平方向に対し角度αをなす跳ね上げ状態となる。そして、この位置で跳上操作レバー４４を離せば、引張コイルばね４５の付勢力によって、図３の（Ｃ）に示すように、リンク４３が溝Ｇ２と係合する方向（白抜矢印方向）に戻され、リンク部材４０（ひいては可動ブラケット２０）と固定ブラケット３０との係合状態が保持される。即ち、リンク部材４０のリンク４３は固定ブラケット３０の溝Ｇ２に係合した跳上位置（図２のＰ２）に容易に移行することができ、確実に保持状態を維持することができる。
【００２４】
而して、本実施形態によれば、チルト機構２と跳上機構３を独立して手動操作し得ると共に、運転者が跳上操作レバー４４を操作することによって、跳上機構３を容易且つ確実に操作し、初期位置（図１）又は跳上位置（図２）に保持しあるいは解除状態とすることができる。しかも、前述のように可動ブラケット２０に対するリンク部材４０の一端の支持位置（図１のＰ０）及び固定ブラケット３０に対するリンク部材４０の他端の支持位置（少なくとも図１のＰ１）が、夫々、揺動中心（Ｃ）回りの単一の円弧（Ｔ）上に位置するように配置されているので、跳上機構３は、別途ロック機構を必要とすることなく、高剛性を維持することができる。
【００２５】
更に、本実施形態においては、チルト操作レバー２４を操作すれば、チルト機構２によってステアリングホイールを所望の操作位置に調整することができる。即ち、上記の跳ね上げ操作とは独立してチルト操作を行うことができる。同様に、上記の跳ね上げ操作とは独立して、前述のテレスコピック機構によってステアリングコラム１を短縮又は伸長する方向に駆動し、ステアリングホイールを所望の操作位置に調整することができる。
【００２６】
尚、テレスコピック機能を必要としなければ、アッパチューブ１２及びロアチューブ１４を一体に形成して単一部材の可動コラム部材を構成すると共に、アッパシャフト１１とロアシャフト１３を一体的に形成すれば、テレスコピック機能を備えていないが、チルト機能を備えたステアリング装置を提供することができる。
【符号の説明】
【００２７】
１  ステアリングコラム
２  チルト機構
３  跳上機構
Ｃ  揺動中心
Ｔ  揺動軌跡
１０  可動コラム部材
２０  可動ブラケット
２４  チルト操作レバー
３０  固定ブラケット
４０  リンク部材
４４  跳上操作レバー
５０  ばね部材
６０  板ばね
【図１】
2012053384.tif 000003
【図２】
2012053384.tif 000004
【図３】
2012053384.tif 000005
【図４】
2012053384.tif 000006
【手続補正書】
【提出日】平成24年12月20日(2012.12.20)
【手続補正１】
【補正対象書類名】特許請求の範囲
【補正対象項目名】全文
【補正方法】変更
【補正の内容】
【特許請求の範囲】
【請求項１】
車両のステアリングホイールを支持するステアリングコラムと、
該ステアリングコラムを車体の前方に配置した揺動中心回りに揺動可能に支持する可動コラム部材と、対向する一対の保持部間に前記可動コラム部材を保持する可動ブラケットを具備し、前記ステアリングホイールの操作位置を調整し得るチルト機構と、
前記車体に固定される固定ブラケットと、前記可動ブラケットに対し一端を回動可能に支持すると共に、他端を前記固定ブラケットに対し前記車体の後方側で係脱可能に配置するリンク部材を具備し、前記ステアリングホイールを所定の跳ね上げ位置に保持し得る跳上機構と、
前記固定ブラケットに対し前記可動ブラケットを跳ね上げ方向に付勢する跳上付勢手段と、
前記リンク部材を前記固定ブラケットに係合させて前記可動ブラケットを初期位置又は跳上位置に保持する保持状態と、前記リンク部材の前記固定ブラケットとの係合を解く解除状態に選択的に設定し得る操作レバーと
を備えた車両のステアリング装置。
【請求項２】
前記可動ブラケットが前記初期位置で保持されている状態での前記可動ブラケットに対する前記リンク部材の一端の支持位置及び前記固定ブラケットに対する前記リンク部材の他端の支持位置が、夫々、前記揺動中心回りの単一の円弧上に位置するように配置する請求項１記載の車両のステアリング装置。
【請求項３】
前記跳上付勢手段が、前記固定ブラケットと前記可動ブラケットとの間に装着するばね部材である請求項１記載の車両のステアリング装置。
【請求項４】
前記跳上付勢手段が、前記固定ブラケットと前記可動ブラケットとの間に装着するばね部材である請求項２記載の車両のステアリング装置。
【請求項５】
前記固定ブラケットが、前記円弧に対し前記車体の後方側に開口する複数の溝を有すると共に、前記リンク部材が、前記複数の溝の各々に対し係合可能な係合部を有する請求項２又は４記載の車両のステアリング装置。
【請求項６】
前記可動ブラケットと前記リンク部材との間に装着し、前記リンク部材を前記固定ブラケットとの係合方向に付勢する係合付勢手段を備えた請求項１乃至５の何れか一項に記載の車両のステアリング装置。
【請求項７】
前記係合付勢手段が、前記リンク部材と前記可動ブラケットとの間に装着するばね部材である請求項６記載の車両のステアリング装置。
【請求項８】
前記ステアリングコラムの軸方向に対して直交する横方向への前記可動ブラケットの移動を規制する横方向付勢手段を備えた請求項１乃至７の何れか一項に記載の車両のステアリング装置。
【請求項９】
前記横方向付勢手段が、前記固定ブラケットと前記可動ブラケットとの間に装着し、前記可動ブラケットを前記横方向に付勢するばね部材である請求項８記載の車両のステアリング装置。
【請求項１０】
前記可動コラム部材を前記ステアリングコラムの軸方向に伸縮して前記ステアリングホイールの操作位置を調整し得るテレスコピック機構を備えた請求項１乃至９の何れか一項に記載の車両のステアリング装置。
【手続補正２】
【補正対象書類名】明細書
【補正対象項目名】００１１
【補正方法】変更
【補正の内容】
【００１１】
更に、上記ステアリング装置に対し、前記可動コラム部材を前記ステアリングコラムの軸方向に伸縮して前記ステアリングホイールの操作位置を調整し得るテレスコピック機構を備えたものとすることができる。
【国際調査報告】
2012053384.tif 000007
2012053384.tif 000008
2012053384.tif 000009
2012053384.tif 000010